(57)【要約】【課題】形状の小型化や、指先の微妙な動きを検出した操作を容易に実現しうるコントローラ装置を提供する。【解決手段】加えられる外力に応じた操作情報を生成するコントローラ装置において、所定の作用方向に加えられる外力を受け、該外力の大きさに応じた、該作用方向の変形が生じる変形部材と、該変形の大きさを検出する検出手段と、を備え、前記操作情報は、該検出結果に基づいて生成されるコントローラ装置とする。【選択図】図４
2008129745.tif 000002
【特許請求の範囲】
【請求項１】
加えられる外力に応じた操作情報を生成するコントローラ装置において、
所定の作用方向に加えられる外力を受け、該外力の大きさに応じた、該作用方向の変形が生じる変形部材と、
該変形の大きさを検出する検出手段と、を備え、
前記操作情報は、該検出結果に基づいて生成されることを特徴とするコントローラ装置。
【請求項２】
前記変形部材は、
弾性材料により形成されていることを特徴とする請求項１に記載のコントローラ装置。
【請求項３】
前記検出手段は、
前記作用方向において、互いに前記変形部材を挟むように設けられた、第１検出部と第２検出部を備えており、
該第１検出部と第２検出部の前記作用方向における距離の検出を通じて、前記変形の大きさを検出することを特徴とする請求項１または請求項２に記載のコントローラ装置。
【請求項４】
前記変形部材は、絶縁材質で形成されている一方、
前記第１検出部と第２検出部は、導電性の材質で形成されており、
前記検出手段は、
該第１検出部と第２検出部を両電極としたコンデンサ構造の電気容量を検出することを特徴とする請求項３に記載のコントローラ装置。
【請求項５】
前記検出手段は、
前記第１検出部と第２検出部との前記作用方向における距離を検出する、測距センサを備えていることを特徴とする請求項３に記載のコントローラ装置。
【請求項６】
前記検出手段は、
前記第１検出部と第２検出部との前記作用方向における距離に応じて抵抗値が定まる、可変抵抗器を備えていることを特徴とする請求項３に記載のコントローラ装置。
【請求項７】
前記変形部材は、
少なくとも第１方向、第２方向、および第３方向からなる、異なる前記作用方向を有しており、
前記検出手段は、該作用方向毎に、異なる前記第１検出部または第２検出部を備えていることを特徴とする請求項３から請求項６の何れかに記載のコントローラ装置。
【請求項８】
前記変形部材は、凹み部分を有しており、
前記第１から第３方向の各々は、該凹み部分から前記変形部材を貫く方向であることを特徴とする請求項７に記載のコントローラ装置。
【請求項９】
前記操作情報は、３次元の方向をも表すものであり、
前記第１方向の前記検出結果に基づく前記操作情報は、Ｘ方向を表し、
前記第２方向の前記検出結果に基づく前記操作情報は、Ｙ方向を表し、
前記第３方向の前記検出結果に基づく前記操作情報は、Ｚ方向を表すことを特徴とする請求項７または請求項８に記載のコントローラ装置。
【請求項１０】
前記凹み部分は、人の指先が挿入可能に形成されており、
前記変形部材は、該凹み部分から前記作用方向に該指先で押されることにより、前記変形が生じることを特徴とする請求項８に記載のコントローラ装置。
【請求項１１】
請求項１から請求項１０の何れかに記載のコントローラ装置を備えたことを特徴とする電子機器。
【発明の詳細な説明】
【技術分野】
【０００１】
本発明は、ゲーム機や携帯電話機などの電子機器において操作情報を生成する、コントローラ装置に関する。
【背景技術】
【０００２】
従来、ゲーム機や携帯電話機などにおけるディスプレイ表示として、２次元表示だけでなく、３次元表示が採用されている場合もある。そのため、例えばディスプレイ上でキャラクタを移動させる指示情報（操作情報）の入力を、平面的な方向（Ｘ、Ｙ方向）だけでなく、奥行き方向（Ｚ方向）についても良好に行えるコントローラ装置が望まれている。
【０００３】
このような操作情報の入力を可能とするコントローラ装置としては、例えば特許文献１に記載のものが提案されている。このコントローラ装置によれば、３次元画面の操作手段として、上下左右および奥と手前の６方向に係る方向入力ボタンが、親指を中心として配置される構成となっている。また人差し指あたりには、２つの押しボタン配置される構成となっており、これらの組み合わせにより、３次元方向の入力を実現するものとなっている。
【特許文献１】特開２０００−２１８０４７号公報
【発明の開示】
【発明が解決しようとする課題】
【０００４】
しかしながら、上記の従来技術では、コントローラを手に持って親指全体で操作するために、コントローラの形状が大きくなり過ぎることとなる。そのため小型化が難しく、特に携帯機器仕様のコントローラとして採用することは難しくなる。
【０００５】
また上記コントローラでは指の大きな動きを検出することはできるが、指の微妙な動きを検出することは難しく、ひいては、細かな操作を実行することは困難である。そこで本発明は、上記の問題点に鑑み、形状の小型化や、指先の微妙な動きを検出した操作を容易に実現しうるコントローラ装置の提供を目的とする。
【課題を解決するための手段】
【０００６】
上記目的を達成するため、本発明に係るコントローラ装置は、加えられる外力に応じた操作情報を生成するコントローラ装置において、所定の作用方向に加えられる外力を受け、該外力の大きさに応じた、該作用方向の変形が生じる変形部材と、該変形の大きさを検出する検出手段と、を備え、前記操作情報は、該検出結果に基づいて生成される構成（第１の構成）とする。
【０００７】
本構成によれば、外力に応じた変形部材の変形の大きさに基づいて操作情報を生成させることができる。そのため、例えば人の指先による作用方向への押下（外力）に応じた変形部材の変形に基づいて操作情報を生成させるものとするだけで、指先の微妙な動きを検出した操作を実現することができる。また、主に指先の動きだけで操作情報を生成できるため、コントローラ形状の小型化が容易となる。
【０００８】
なお操作情報とは、電子機器における何らかの処理に対して操作を実行するための情報である。例えば表示装置上のキャラクタを、所望の方向に移動させるための情報等が挙げられるが、その内容は特に限定されない。
【０００９】
また上記第１の構成において、前記変形部材は、弾性材料により形成されている構成（第２の構成）としてもよい。本構成によれば、変形部材の変形における、外力の大きさへの追従性が良好となる。そのため、操作情報の精度をより良いものとすることができる。
【００１０】
また上記第１または第２の構成において、前記検出手段は、前記作用方向において、互いに前記変形部材を挟むように設けられた、第１検出部と第２検出部を備えており、該第１検出部と第２検出部の前記作用方向における距離の検出を通じて、前記変形の大きさを検出する構成（第３の構成）としてもよい。
【００１１】
本構成によれば、変形部材の作用方向における変形の大きさを検出するにあたり、第１検出部と第２検出部との距離の検出がなされる。そのため、変形部材の変形の大きさの検出を容易なものとすることができる。
【００１２】
また上記第３の構成において、前記変形部材は、絶縁材質で形成されている一方、前記第１検出部と第２検出部は、導電性の材質で形成されており、前記検出手段は、該第１検出部と第２検出部を両電極としたコンデンサ構造の電気容量を検出する構成（第４の構成）としてもよい。
【００１３】
コンデンサの電気容量は、両電極間の距離の変化に応じて変動する。そのため本構成によれば、上記コンデンサ構造における電気容量の検出を通じて、第１検出部と第２検出部との距離を検出することができる。
【００１４】
また上記第３の構成において、前記検出手段は、前記第１検出部と第２検出部との前記作用方向における距離を検出する、測距センサを備えている構成（第５の構成）としてもよい。本構成によれば、測距センサを介して、第１検出部と第２検出部との距離を検出することができる。
【００１５】
また上記第３の構成において、前記検出手段は、前記第１検出部と第２検出部の前記作用方向における距離に応じて抵抗値が定まる、可変抵抗器を備えている構成（第６の構成）としてもよい。本構成によれば、可変抵抗器における抵抗値の検出を通じて、第１検出部と第２検出部との距離を検出することができる。
【００１６】
また上記第３から第６の何れかの構成において、前記変形部材は、少なくとも第１方向、第２方向、および第３方向からなる、異なる前記作用方向を有しており、前記検出手段は、該作用方向毎に、異なる前記第１検出部または第２検出部を備えている構成（第７の構成）としてもよい。
【００１７】
本構成によれば、第１から第３方向の各々について、第１検出部と第２検出部の組み合わせを互いに別個のものとすることができる。そのため、３次元（各次元は互いに独立）の操作情報を生成することが可能となる。
【００１８】
また上記第７の構成において、前記変形部材は、凹み部分を有しており、前記第１から第３方向の各々は、該凹み部分から前記変形部材を貫く方向である構成（第８の構成）としてもよい。本構成によれば、共通の変形部材において、第１から第３方向を容易に設定することができる。
【００１９】
また上記第７または第８の構成において、前記操作情報は、３次元の方向をも表すものであり、前記第１方向の前記検出結果に基づく前記操作情報は、Ｘ方向を表し、前記第２方向の前記検出結果に基づく前記操作情報は、Ｙ方向を表し、前記第３方向の前記検出結果に基づく前記操作情報は、Ｚ方向を表す構成（第９の構成）としてもよい。
【００２０】
本構成によれば、３次元の方向をも表す操作情報（例えば位置、速度に関する情報など）を、容易に生成することが可能となる。なお、Ｘ、ＹおよびＺの各方向は、これらにより３次元の方向を表現できる（すなわち各方向のベクトルは、全てが同一平面上とはならない）ものとする。
【００２１】
また上記第８の構成において、前記凹み部分は、人の指先が挿入可能に形成されており、前記変形部材は、該凹み部分から前記作用方向に該指先で押されることにより、前記変形が生じる構成（第１０の構成）としてもよい。本構成によれば、凹み部分に人の指先を挿入させ、指先による押下操作を通じて、操作情報を生成することが可能となる。
【００２２】
また上記第１から第１０の何れかの構成に係るコントローラ装置を備えた電子機器であれば、上記構成の利点を享受し得る電子機器を実現することができる。
【発明の効果】
【００２３】
上述の通り、本発明に係るコントローラ装置によれば、外力に応じた変形部材の変形の大きさに基づいて操作情報を生成させることができる。そのため、例えば人の指先による作用方向への押下（外力）に応じた変形部材の変形に基づいて操作情報を生成させるものとするだけで、指先の微妙な動きを検出した操作を実現することができる。また、主に指先の動きだけで操作情報を生成できるため、コントローラ形状の小型化が容易となる。
【発明を実施するための最良の形態】
【００２４】
本発明の実施形態として、３次元方向の情報を入力し得るコントローラ装置を備えた、携帯型の電子機器を挙げて以下に説明する。本電子機器の外観を、図１に概略的に示す。本図のように電子機器１は、表示部２および入力パッド３を備えている。なお電子機器内部には、各種電子回路を備えている。
【００２５】
表示部２は、例えばＬＣＤ［Liquid Crystal Display］等により構成されており、後述するＣＰＵ１４の制御に従ってキャラクタ等を表示させる。また入力パッド３は、ユーザに電子機器１を操作させる（ユーザからの指示情報を取得する）ために設けられたユーザインタフェースである。
【００２６】
ここで入力パッド３のより具体的な構成を、図２から図４を参照しながら説明する。なお図２は、入力パッド３を斜め上方から（電子機器１の外部側から）見た図である。また図３は、入力パッド３を裏側から（電子機器１の内部側から）見た図である。また図４は、図２の線分Ａ−Ａ´における断面図である。
【００２７】
これらの図に示すように入力パッド３は、弾性部材３１、共通電極ＣＯＭ、および各裏面電極（ＸＬ、ＸＲ、ＹＵ、ＹＤ、Ｚ）を備えている。弾性部材３１は、電子機器１の外部側から見ると、略半球型に凹んだ凹み部分５を有している。この凹み部分５は、ユーザの指先４が挿入されることを想定して設けられたものであり、人の指先形状にできるだけフィットするような大きさに設定されている。
【００２８】
また弾性部材３１は、ユーザの指先によって押された場合に、その外力（圧力）によって変形することが想定されている。そのため弾性部材３１は、指先で押された程度で変形するような、柔軟性のある材料（例えば、ゴムのような弾性材料）などによって形成されている。また弾性部材３１には、絶縁材料が採用されている。
【００２９】
また共通電極ＣＯＭは、シート状の導電材質により形成されており、弾性部材３１の凹み部分５に貼り付けられているか、あるいは凹み部分５に近い位置に埋設されている。なお共通電極ＣＯＭには、指先等の外部物体が直接接触しないように、コーティング等が施されていることが望ましい。
【００３０】
また各裏面電極（ＸＬ、ＸＲ、ＹＵ、ＹＤ、Ｚ）は、導電材質により形成されており、弾性部材３１の裏側に設けられている。これらの電極は、電極Ｚを中心として、ＸＬ、ＸＲ、ＹＵ、ＹＤの各電極が十字を形成するように配置されている。さらに各裏面電極（ＸＬ、ＸＲ、ＹＵ、ＹＤ、Ｚ）は、配線を介して、後述する比較器１２の非反転入力端子に接続されている。
【００３１】
上述の通り、入力パッド３は、絶縁材質である弾性部材３１が、導電材質である共通電極ＣＯＭと各裏面電極（ＸＬ、ＸＲ、ＹＵ、ＹＤ、Ｚ）により挟み込まれた構成となっている。これにより入力パッド３は、共通電極ＣＯＭと各裏面電極（ＸＬ、ＸＲ、ＹＵ、ＹＤ、Ｚ）を両電極としたコンデンサを構成していると見ることもできる。
【００３２】
また入力パッド３は凹み部分５を設けていることにより、そこから異なる方向（弾性部材３１を貫く方向）に圧縮力を加えることが可能である。これにより、凹み部分５から各裏面電極（ＸＬ、ＸＲ、ＹＵ、ＹＤ、Ｚ）に向かう方向に、指先４での押下によって弾性部材３１を圧縮させることが可能である。なおこのように、凹み部分５（共通電極ＣＯＭ）から各裏面電極（ＸＬ、ＸＲ、ＹＵ、ＹＤ、Ｚ）に向かう方向（外力による弾性部材３１の変形が想定されている方向）を作用方向とする。例えば図４では、Ｆ１〜Ｆ３で示す方向が作用方向に該当する。
【００３３】
このような構成のため、入力パッド３は、各作用方向にコンデンサ構造を有しているといえる。また弾性部材３１の作用方向における圧縮変形（指先での押下）に伴い、当該コンデンサの両電極間の距離も変動し、ひいては、その容量の大きさも変動する。つまり当該コンデンサは、可変容量コンデンサと見ることもできる。
【００３４】
次に電子機器１において、コントローラ操作に関連する内部回路の構成を、図５を参照しながら説明する。本図のように当該回路は、入力パッド３の押下に応じた操作情報を生成するコントローラ処理回路（１０ａ〜１０ｅ）が、各作用方向に対して設けられている。なお各コントローラ処理回路の構成は、可変容量コンデンサ（Ｃ１〜Ｃ５）を除いては同一であるため、図５では、１０ｂ〜１０ｅの内容を一部省略して記載している。またこれらコントローラ処理回路の他、ＣＰＵ１４および表示部１５等を備えている。
【００３５】
コントローラ処理回路（１０ａ〜１０ｅ）は、入力パッド３の押下状態を検知するための回路であり、作用方向の総数（裏面電極の総数でもある）である５個分が設けられている。各コントローラ処理回路（１０ａ〜１０ｅ）には、先述した入力パッド３における可変容量コンデンサ（Ｃ１〜Ｃ５）の何れかを有している。
【００３６】
これらの各可変容量コンデンサ（Ｃ１〜Ｃ５）は、より具体的には、コンデンサＣ１が共通電極ＣＯＭと裏面電極ＸＬを両電極としており、コンデンサＣ２が共通電極ＣＯＭと裏面電極ＸＲを両電極としており、コンデンサＣ３が共通電極ＣＯＭと裏面電極ＹＵを両電極としており、コンデンサＣ４が共通電極ＣＯＭと裏面電極ＹＤを両電極としており、コンデンサＣ５が共通電極ＣＯＭと裏面電極Ｚを両電極としている。
【００３７】
これにより、各可変容量コンデンサは、対応する作用方向への入力パッド３の押下状態に応じて、容量が変化するものである。また各コントローラ処理回路は、これらの可変容量コンデンサの他、スイッチ部１１、比較器１２、および基準電圧生成部１３等を備えている。
【００３８】
スイッチ部１１は、ＣＰＵ１４による制御に従って、比較器１２の非反転入力端子と接地点との接続／非接続を切替える。比較器（コンパレータ）１２は、非反転入力端子に入力される電圧と、反転入力端子に接続されている基準電圧生成部１３が生成する基準電圧との比較結果に応じた情報（出力電圧Ｖｏｕｔ）をＣＰＵ１４に出力する。
【００３９】
また比較器１２の非反転入力端子には、抵抗Ｒを介して、電源電圧が供給されている。なおこのように、可変抵抗コンデンサ（Ｃ１〜Ｃ５）と、抵抗Ｒが設けられることによって、ＣＲ積分回路が形成されている。ＣＰＵ１４は、電子機器１の機能を全うするために必要な諸処理を制御する。なおコントローラ操作に関する処理の内容に関しては、改めて説明する。
【００４０】
次に上記の回路により実現される処理の内容について、図６を参照しながら説明する。まずＣＰＵ１４は、スイッチ部１１を接続状態（このとき、比較器１２の非反転入力端子は接地電圧となる）から非接続状態に切替る（ステップＳ１１）。これにより、上述したＣＲ積分回路の作用によって、比較器１２の非反転入力端子の電圧は、電源電圧レベルまで徐々に上がっていくこととなる。
【００４１】
スイッチ部１１を切替えた後、ＣＰＵ１４は、比較器の出力電圧Ｖｏｕｔがハイレベルとなるタイミングを監視する（ステップＳ１２）。またこのときＣＰＵ１４は、スイッチ部１１の切替を行った時からの時間をカウントしている。
【００４２】
ここでＣＲ積分回路におけるコンデンサ両端間の電圧上昇速度は、時定数Ｃ×Ｒに対応して変動する。そのため、このＣに相当する入力パッド３の可変コンデンサにおける容量の違いにより、非反転入力端子における電圧の上昇速度が変化し、ひいては、当該電圧が、基準電圧生成部１３が生成する基準電圧に到達するまでの時間も変化することになる。その結果、電圧Ｖｏｕｔがハイレベルとなるタイミングは、入力パッド３の可変コンデンサにおける容量に応じて変動する。
【００４３】
非反転入力端子の電圧状態について、入力パッド３が押下されなかったときと、一定以上の力で作用方向に押下されたときのものを、図７のグラフに示す。スイッチ部１１の切替を行った時刻ｔ０の後、入力パッド３が押下されなかったときは、時間ｔ１後に、非反転入力端子の電圧が基準電圧に到達する。一方、入力パッド３が押下されたときは、時間ｔ１より長い、時間ｔ２後に基準電圧に到達する。なお比較器１２の出力電圧Ｖｏｕｔに着目すると、図８のグラフに示すように、入力パッドが押下されなかったときは時刻ｔ０からｔ１後に、押下されたときは時刻ｔ０からｔ２後に、ハイレベルへ移行する。
【００４４】
ステップＳ１１の処理の後、比較器１２の出力がハイレベルとなったことを検知したら（ステップＳ１２のＹ）、ＣＰＵ１４は、この検知結果に基づいて入力パッド３の押下状況を検出する（ステップＳ１３）。より具体的には、比較器１２の出力がハイレベルとなるまでの時間が、例えば図８に示すような所定の基準時間ｔｃよりも、長いか短いかを比較することにより検出する。そして短い場合は、入力パッド３は押下されておらず、逆に長い場合は、押下されているものと判断する。
【００４５】
そしてこの検出の結果に応じて、ＣＰＵ１４は、表示部２における表示内容を制御する（ステップＳ１４）。またＣＰＵ１４は、スイッチ部１１を接続状態へ切替えることにより、比較器１２の非反転入力端子における電圧を接地電位に戻す（初期化を行う）こととし（ステップＳ１５）、再びステップ１１の処理に戻る。なお以上に述べたステップＳ１１〜Ｓ１５の処理は、各コントローラ処理回路（１０ａ〜１０ｅ）に対して実行される。
【００４６】
次に上述したコントローラ処理の内容について、具体例を挙げて説明する。ここでは、図９に示すようにキャラクタ（飛行機）２１が表示されている場合において、ユーザが、キャラクタ２１を右斜め上方向（図９中の矢印で示す方向）に動かそうとしている状況を想定する。また先述した各裏面電極（ＸＬ、ＸＲ、ＹＵ、ＹＤ、Ｚ）は、図１０に示すように、ディスプレイ面上に相当するＸ軸とＹ軸、および奥行方向に相当するＺ軸の、何れかの方向に対応しているものとする。
【００４７】
この場合入力パッド３は、ユーザの指先によって、裏面電極ＸＲとＹＵに係る作用方向に押下されている（凹み部分５からＸＲとＹＵの中間あたりに向けて押下されることにより、結果として双方の作用方向に押下されている状態となる）。この状態でＣＰＵ１４は、ステップＳ１１〜Ｓ１３の各処理を各作用方向に対して実行することになる。その結果、裏面電極ＸＲおよびＹＵに係る作用方向には入力パッドが押下されている一方、裏面電極ＸＬ、ＹＤおよびＺに係る作用方向には押下されていないことを検出する。
【００４８】
そこでＣＰＵ１４は、キャラクタ２１を右斜め上方向に所定量移動させた表示を行わせるように、表示部２を制御する（ステップＳ１４）。またその後ＣＰＵ１４は、一旦初期化を行うとともに（ステップＳ１５）、再びステップＳ１１の処理に戻り、同様の処理を繰り返す。これによりユーザから見ると、指先による入力パッドの押下操作によって、キャラクタ２１を３次元方向へ自在に動かすことができる。
【００４９】
また上述したコントローラ処理を利用して、電子機器１に文字などを入力することも可能である。この場合例えば、入力パッド３の押下操作を通じて、ディスプレイ上のポインタを移動することができるようにしておく。より具体的には、Ｘ軸またはＹ軸方向への操作をディスプレイ平面上の２次元移動に対応させておくとともに、Ｚ軸方向に入力パッド３が押下されているときは、ポインタの軌跡が残る（ポインタの軌跡通りに筆記される）状態とし、押下されていないときは、ポインタの軌跡が残らない（単なるポインタの移動）状態とすればよい。
【００５０】
このようにしていれば、Ｚ軸方向に入力パッド３が強く押下されないようにしつつ、Ｘ軸またはＹ軸方向に入力パッド３を押下することで、ポインタを任意の位置に移動させることができる。そして文字等の入力の始点にポインタを移動させた後、Ｚ軸方向に入力パッド３を押し付けつつ、Ｘ軸またはＹ軸方向に入力パッド３を押下することで、ポインタの軌跡として、文字等を入力することが可能となる。
【００５１】
なお本実施形態のコントローラ装置では、共通電極ＣＯＭと各裏面電極（ＸＬ、ＸＲ、ＹＵ、ＹＤ、Ｚ）との距離を検出するために、コンデンサ構造の電気容量を検出することとしたが、他の方法を採用しても良い。
【００５２】
例えば、共通電極ＣＯＭと各裏面電極（ＸＬ、ＸＲ、ＹＵ、ＹＤ、Ｚ）との距離を検出する測距センサを備えておき、検出された距離の情報をＣＰＵ１４に伝送するものとしてもよい。またその他、共通電極ＣＯＭと各裏面電極（ＸＬ、ＸＲ、ＹＵ、ＹＤ、Ｚ）との距離に応じて抵抗値が定まる可変抵抗器を備えておき、この抵抗器における抵抗値の情報をＣＰＵ１４に伝送するものとしてもよい。
【００５３】
以上に説明した通り、電子機器１は、ユーザの指先によって加えられる外力に応じた操作情報を生成するコントローラ装置を備えている。またこのコントローラ装置は、各作用方向に加えられる外力を受けて、この外力の大きさに応じて作用方向への変形が生じる弾性部材（変形部材）３１と、この変形の大きさを検出する検出手段を備えている。そして操作情報は、この検出結果に基づいて生成されるものとなっている。
【００５４】
その結果、ユーザの指先による作用方向への押下（外力）に応じた弾性部材３１の変形に基づいて、操作情報を生成させるものとなっており、指先の微妙な動きを検出した操作を実現することが可能となっている。また、主に指先の動きだけで操作情報を生成できるため、コントローラ形状の小型化が容易となっている。特に本実施例のような携帯型の電子機器１に搭載する場合、携帯性の向上を図るため、コントローラ形状の小型化は非常に重要なファクターとなり得る。
【００５５】
また弾性部材３１の変形の大きさを検出する手段として、作用方向において、互いに弾性部材３１を挟むように設けられた共通電極ＣＯＭと裏面電極（ＸＬ、ＸＲ、ＹＵ、ＹＤ、Ｚ）が備えられている。そして作用方向におけるこれら電極間の距離の検出を通じて、弾性部材３１の変形の大きさが検出されるため、かかる変形の大きさの検出が容易なものとなっている。
【００５６】
以上、本発明の実施形態について説明したが、本発明の範囲はこれらに限定されるものではなく、本発明の主旨を逸脱しない限り、種々の改変を加えたものをも含むものである。
【産業上の利用可能性】
【００５７】
本発明は、携帯型の電子機器などにおいて有用である。
【図面の簡単な説明】
【００５８】
【図１】本発明の実施形態に係る電子機器の外観図である。
【図２】本発明の実施形態に係る入力パッドの構成図である。
【図３】本発明の実施形態に係る入力パッドの構成図（裏側から見た場合）である。
【図４】本発明の実施形態に係る入力パッドの構成図（断面図）である。
【図５】本発明の実施形態に係る、コントローラ制御に関わる回路の構成図である。
【図６】本発明の実施形態に係る、コントローラ制御に関する流れ図である。
【図７】本発明の実施形態に係る比較器の非反転入力端子での電圧を示す図である。
【図８】本発明の実施形態に係る比較器の、出力状態を示す図である。
【図９】本発明の実施形態に係る表示部における、表示内容に関する説明図である。
【図１０】本発明の実施形態に係る裏面電極と、３次元方向との関係を示す図である。
【符号の説明】
【００５９】
１    電子機器
２    表示部
３    入力パッド
４    人の指先
５    凹み部分
１１    スイッチ部
１２    比較器
１３    基準電圧生成部
１４    ＣＰＵ
２１    キャラクタ
３１    弾性部材（変形部材）
Ｒ    抵抗
ＣＯＭ    共通電極（第１検出部）
１０ａ〜１０ｅ    コントローラ処理回路
ＸＲ、ＸＬ、ＹＵ、ＹＤ、Ｚ    裏面電極（第２検出部）
Ｃ１〜Ｃ５    可変容量コンデンサ（コンデンサ構造）
Ｆ１〜Ｆ３    作用方向
【図１】
2008129745.tif 000003
【図２】
2008129745.tif 000004
【図３】
2008129745.tif 000005
【図４】
2008129745.tif 000006
【図５】
2008129745.tif 000007
【図６】
2008129745.tif 000008
【図７】
2008129745.tif 000009
【図８】
2008129745.tif 000010
【図９】
2008129745.tif 000011
【図１０】
2008129745.tif 000012